(57)【要約】  【課題】  サンプルホールド回路から演算増幅器に入力される信号電圧の補正をする。  【解決手段】  信号ドライバ２０は、２系統のサンプルホールド回路１１と、単一の演算増幅器１２と、演算増幅器１２の出力端子と出力端子Ｖｏｕｔ間に接続されたスイッチＳｗｄとで構成されている。液晶パネルの各信号ラインに対応して、２系統のサンプルホールド回路１１において、画像信号の電荷がスイッチＳｗａ１，Ｓｗａ２を介してＳ／ＨコンデンサＣ１，Ｃ２に交互に蓄積される。そして、Ｓ／ＨコンデンサＣ１，Ｃ２に蓄積されていた電荷に応じた信号電圧がスイッチＳｗｄのＯＮにより出力端子Ｖｏｕｔから出力されるとき、このスイッチＳｗｄのＯＮの直前のスイッチＳｗｄのＯＦＦ期間中に、Ｓ／ＨコンデンサＣ１，Ｃ２に電荷が蓄積されたと同じ画像信号の電荷がスイッチＳｗａ１，Ｓｗａ２およびスイッチＳｗｂ１，Ｓｗｂ２を介して演算増幅器１２の寄生容量Ｃｉに蓄積されるので、出力端子ＶｏｕｔからはＳ／ＨコンデンサＣ１，Ｃ２に蓄積されていた電荷に応じた信号電圧が補正されて出力される。【選択図】  図１
2005070627.tif 000002
【特許請求の範囲】
【請求項１】
１出力が２系統からなるサンプルホールド回路と、サンプルホールド回路の２系統に共通接続された単一の演算増幅器とを有する液晶駆動装置において、
前記サンプルホールド回路の２系統により交互にサンプルホールドされた各信号電圧を前記演算増幅器からスイッチを介して出力端子に交互に出力するとともに、前記各出力の直前の前記スイッチのＯＦＦ期間中に前記各信号電圧と同じ画像信号を前記サンプルホールド回路により再サンプリングして前記演算増幅器の入力に供給することを特徴とする液晶駆動装置。
【請求項２】
１出力が２系統からなるサンプルホールド回路と、サンプルホールド回路の２系統に共通接続された単一の演算増幅器とを有する液晶駆動装置の制御方法において、
前記サンプルホールド回路の２系統によりサンプルホールドされた各信号電圧を前記演算増幅器から出力端子に出力するとき、前記各出力の直前に前記各信号電圧と同じ画像信号を前記サンプルホールド回路により再サンプリングして前記演算増幅器の入力に供給することを特徴とする液晶駆動装置の制御方法。
【発明の詳細な説明】
【技術分野】
【０００１】
本発明は液晶駆動装置およびその制御方法に関し、特に１出力が２系統からなるサンプルホールド回路と、サンプルホールド回路の２系統に共通接続された単一の演算増幅器とを有する液晶駆動装置とその制御方法に関する。
【背景技術】
【０００２】
液晶駆動装置として、１出力が２系統からなるサンプルホールド回路と、サンプルホールド回路の２系統に共通接続された単一の演算増幅器とを有する信号ドライバが用いられている（例えば、特許文献１を参照。）。以下、特許文献１を参考にして、従来の信号ドライバ１０について図３を参照して説明する。図３に示す信号ドライバ１０は、信号ドライバの出力回路部を示し、各信号ライン毎に同一の構成を有しているため、一出力回路についてのみ示す。図３において、信号ドライバ１０は、２系統のサンプルホールド回路１１と、単一の演算増幅器１２により構成されている。
【０００３】
サンプルホールド回路１１の第１の経路は、アナログスイッチ（以下、単にスイッチという）Ｓｗａ１とスイッチＳｗｂ１を直列に接続して構成され、スイッチＳｗａ１とスイッチＳｗｂ１の接続点には、他端側が低電位電源Ｖｓｓに接続されたＳ／ＨコンデンサＣ１が接続されている。一方、サンプルホールド回路１１の第２の経路は、スイッチＳｗａ２とスイッチＳｗｂ２を直列に接続して構成され、スイッチＳｗａ２とスイッチＳｗｂ２の接続点には、他端側が低電位電源Ｖｓｓに接続されたＳ／ＨコンデンサＣ２が接続されている。サンプルホールド回路１１の２系統には単一の演算増幅器１２が共通接続されている。演算増幅器１２は、ボルテージフォロア接続されており、演算増幅器１２の出力端子が出力端子Ｖｏｕｔに接続されている。演算増幅器１２の非反転入力端子部分には寄生容量Ｃｉが存在している。
【０００４】
次に、上述した信号ドライバ１０の基本的な動作について、図４を参照して説明する。外部から供給され、水平同期信号（１Ｈ）に同期する制御信号ＩＮＨに基づいて、スイッチＳｗａ１〜Ｓｗｂ２のＯＮ／ＯＦＦ動作が制御される。制御信号ＩＮＨの最初の立ち上がりから２番目の立ち上がりまでのサイクル１の期間中に、スイッチＳｗａ１がＯＮ、スイッチＳｗｂ１がＯＦＦすると、画像信号の電荷がスイッチＳｗａ１を介してＳ／ＨコンデンサＣ１に蓄積される。一方、このときスイッチＳｗａ２はＯＦＦ、スイッチＳｗｂ２はＯＮ状態にあるため、Ｓ／ＨコンデンサＣ２に蓄積されていた電荷に応じた信号電圧が演算増幅器１２により増幅されて出力端子Ｖｏｕｔに出力される。
【０００５】
次に、制御信号ＩＮＨの２番目の立ち上がりから３番目の立ち上がりまでのサイクル２の期間中に、スイッチＳｗａ１がＯＦＦ、スイッチＳｗｂ１がＯＮすると、サイクル１においてＳ／ＨコンデンサＣ１に蓄積された電荷に応じた信号電圧が演算増幅器１２により増幅されて出力端子Ｖｏｕｔに出力される。一方、スイッチＳｗａ２はＯＮ、スイッチＳｗｂ２はＯＦＦ状態にあるため、画像信号の電荷がスイッチＳｗａ２を介してＳ／ＨコンデンサＣ２に蓄積される。続いて、サイクル３の期間では、上述したサイクル１と同様に、画像信号の電荷がスイッチＳｗａ１を介してＳ／ＨコンデンサＣ１に蓄積され、サイクル２においてＳ／ＨコンデンサＣ２に蓄積された電荷に応じた信号電圧が演算増幅器１２により増幅されて出力端子Ｖｏｕｔに出力される。このようにして、信号ドライバ１０は、液晶パネルの各信号ラインに対応して、画像信号を２系統のサンプルホールド回路により交互に取り込み、そのサンプルホールド回路から信号電圧を交互に演算増幅器１２により増幅して出力端子Ｖｏｕｔから出力し、液晶表示パネルの各液晶画素に信号電圧を印加して、画像信号に応じた表示出力を行う。
【０００６】
上述の信号ドライバ１０は、演算増幅器１２の非反転入力端子部分に寄生容量Ｃｉが存在するため、２系統のサンプルホールド回路のＳ／ＨコンデンサＣ１，Ｃ２に蓄積されていた電荷に応じた信号電圧がスイッチＳｗｂ１，Ｓｗｂ２のＯＮにより交互に演算増幅器１２に入力されると、前回の入力時の信号電圧により寄生容量Ｃｉに電荷が蓄積され、次回の信号電圧の入力時に寄生容量Ｃｉに蓄積されている電荷分によりＳ／ＨコンデンサＣ１，Ｃ２に蓄積されていた電荷に応じた信号電圧が変動し、演算増幅器１２に入力される信号電圧が変化し、演算増幅器１２から画像信号に応じた出力電圧が得られず、表示画質が低下する虞がある。特許文献１では、演算増幅器の入力電位を初期化するプリチャージ回路によりこの問題を解決している。
【特許文献１】特開２０００−２０００６９号公報（図１、図５、図９、図１０）
【発明の開示】
【発明が解決しようとする課題】
【０００７】
ところで、上述のプリチャージ回路により演算増幅器の入力電位を初期化する構成の場合、Ｓ／ＨコンデンサＣ１，Ｃ２に蓄積される電荷に応じた信号電圧が画像信号に応じて変化するのに対して、プリチャージ回路により初期化される演算増幅器の入力電位は一定であるため、その初期化された入力電位はＳ／ＨコンデンサＣ１，Ｃ２に蓄積される電荷に応じた信号電圧とは常には等しくならず、演算増幅器１２に入力される信号電圧が変化するという問題はまだ残っており、演算増幅器１２から画像信号に応じた出力電圧が得られず、表示画質が低下する虞がまだある。
従って、本発明の目的は、演算増幅器から画像信号に応じた出力電圧が得られるようにした液晶駆動装置およびその制御方法を提供することである。
【課題を解決するための手段】
【０００８】
本発明の液晶駆動装置は、１出力が２系統からなるサンプルホールド回路と、サンプルホールド回路の２系統に共通接続された単一の演算増幅器とを有する液晶駆動装置において、  前記サンプルホールド回路の２系統により交互にサンプルホールドされた各信号電圧を前記演算増幅器からスイッチを介して出力端子に交互に出力するとともに、前記各出力の直前の前記スイッチのＯＦＦ期間中に前記各信号電圧と同じ画像信号を前記サンプルホールド回路により再サンプリングして前記演算増幅器の入力に供給することを特徴とする。
本発明の液晶駆動装置の制御方法は、１出力が２系統からなるサンプルホールド回路と、サンプルホールド回路の２系統に共通接続された単一の演算増幅器とを有する液晶駆動装置の制御方法において、前記サンプルホールド回路の２系統によりサンプルホールドされた各信号電圧を前記演算増幅器から出力端子に出力するとき、前記各出力の直前に前記各信号電圧と同じ画像信号を前記サンプルホールド回路により再サンプリングして前記演算増幅器の入力に供給することを特徴とする。
上記手段によれば、サンプルホールド回路の２系統によりサンプルホールドされた各信号電圧を演算増幅器から出力端子に出力するとき、各出力の直前に各信号電圧と同じ画像信号をサンプルホールド回路により再サンプリングして演算増幅器に供給するので、同じ画像信号の電荷が演算増幅器の寄生容量Ｃｉに蓄積され、信号電圧が補正されて出力される。
【発明の効果】
【０００９】
本発明によれば、出力の直前にサンプルホールドされた信号電圧と同じ画像信号をサンプルホールド回路により再サンプリングして演算増幅器に供給するので、再サンプリングと同時に画像信号の電荷が演算増幅器の寄生容量Ｃｉに蓄積され、演算増幅器に入力される信号電圧は補正され、液晶表示装置の表示画質の向上を図ることができる。
【発明を実施するための最良の形態】
【００１０】
以下に、本発明の一実施形態の液晶駆動装置としての信号ドライバ２０について図１を参照して説明する。図１に示す信号ドライバ２０は、信号ドライバの出力回路部を示し、演算増幅器１２の出力端子と出力端子Ｖｏｕｔ間にスイッチＳｗｄが接続されている点以外は、図３に示す信号ドライバ１０と基本的な構成が同一であり同一符号を付して、その構成の説明を省略する。
【００１１】
次に、上述した信号ドライバ２０の基本的な動作について、図２を参照して説明する。
外部から供給され、水平同期信号（１Ｈ）に同期する制御信号ＩＮＨに基づいて、スイッチＳｗａ１〜Ｓｗｂ２，ＳｗｄのＯＮ／ＯＦＦ動作が制御される。
（サイクル１：制御信号ＩＮＨの最初の立ち上がりエッジから２番目の立ち上がりエッジまで）サイクル１の期間中、スイッチＳｗｂ１はＯＦＦ状態である。最初の立ち上がりエッジより所定クロック遅延した時刻Ｔ１から２番目の立ち上がりエッジまでの期間中に、スイッチＳｗａ１がＯＮし、画像信号の電荷がスイッチＳｗａ１を介してＳ／ＨコンデンサＣ１に蓄積される。一方、サイクル１の期間中、スイッチＳｗｂ２はＯＮ状態にあるため、先のサイクルでＳ／ＨコンデンサＣ２に蓄積されていた電荷に応じた信号電圧が演算増幅器１２に供給され演算増幅器１２から増幅された信号電圧が出力されている状態である。この状態において、最初の立ち上がりエッジから時刻Ｔ１までの期間中に、スイッチＳｗａ２がＯＮし、先のサイクルにＳ／ＨコンデンサＣ２に電荷が蓄積されたと同じ画像信号の電荷がスイッチＳｗａ２およびスイッチＳｗｂ２を介して演算増幅器１２の寄生容量Ｃｉに蓄積されるため、演算増幅器１２に供給される信号電圧は、Ｓ／ＨコンデンサＣ２からの信号電圧が補正されていることになる。そして、制御信号ＩＮＨの最初の立ち下がりエッジでスイッチＳｗｄはＯＮし、このときからスイッチＳｗｄがＯＦＦする２番目の立ち上がりエッジまで出力端子Ｖｏｕｔから補正された信号電圧が出力される。
【００１２】
（サイクル２：制御信号ＩＮＨの２番目の立ち上がりエッジから３番目の立ち上がりエッジまで）サイクル２の期間中、スイッチＳｗｂ１はＯＮ状態にあるため、サイクル１でＳ／ＨコンデンサＣ１に蓄積されていた電荷に応じた信号電圧が演算増幅器１２に供給され演算増幅器１２から増幅された信号電圧が出力されている状態である。この状態において、２番目の立ち上がりエッジから２番目の立ち上がりエッジより所定クロック遅延した時刻Ｔ２までの期間中に、スイッチＳｗａ１がＯＮし、サイクル１にＳ／ＨコンデンサＣ１に電荷が蓄積されたと同じ画像信号の電荷がスイッチＳｗａ１およびスイッチＳｗｂ１を介して演算増幅器１２の寄生容量Ｃｉに蓄積されるため、演算増幅器１２に供給される信号電圧は、Ｓ／ＨコンデンサＣ１からの信号電圧が補正されていることになる。そして、制御信号ＩＮＨの２番目の立ち下がりエッジでスイッチＳｗｄはＯＮし、このときからスイッチＳｗｄがＯＦＦする３番目の立ち上がりエッジまで出力端子Ｖｏｕｔから補正された信号電圧が出力される。一方、サイクル２の期間中、スイッチＳｗｂ２はＯＦＦ状態である。時刻Ｔ２から３番目の立ち上がりエッジまでの期間中に、スイッチＳｗａ２がＯＮし、画像信号の電荷がスイッチＳｗａ２を介してＳ／ＨコンデンサＣ２に蓄積される。
【００１３】
（サイクル３：制御信号ＩＮＨの３番目の立ち上がりエッジから４番目の立ち上がりエッジまで）続いて、サイクル３の期間では、上述したサイクル１と同様に、３番目の立ち上がりエッジより所定クロック遅延した時刻Ｔ３から４番目の立ち上がりエッジまでの期間中に、画像信号の電荷がスイッチＳｗａ１を介してＳ／ＨコンデンサＣ１に蓄積され、サイクル２でＳ／ＨコンデンサＣ２に蓄積されていた電荷に応じた信号電圧が演算増幅器１２に供給され演算増幅器１２から増幅された信号電圧が出力されるとき、３番目の立ち上がりエッジから時刻Ｔ３までの期間中に、サイクル２にＳ／ＨコンデンサＣ２に電荷が蓄積されたと同じ画像信号の電荷がスイッチＳｗａ２およびスイッチＳｗｂ２を介して演算増幅器１２の寄生容量Ｃｉに蓄積される。このようにして、信号ドライバ２０は、液晶パネルの各信号ラインに対応して、画像信号を２系統のサンプルホールド回路１１により交互に取り込み、そのサンプルホールド回路１１から補正された信号電圧を交互に演算増幅器１２により増幅して出力端子Ｖｏｕｔから出力し、液晶表示パネルの各液晶画素に信号電圧を印加して、画像信号に応じた表示出力を行う。
【００１４】
以上に説明したように、Ｓ／ＨコンデンサＣ１，Ｃ２に蓄積されていた電荷に応じた信号電圧がスイッチＳｗｄのＯＮにより出力端子Ｖｏｕｔから出力されるとき、このスイッチＳｗｄのＯＮの直前のスイッチＳｗｄのＯＦＦ期間中に、Ｓ／ＨコンデンサＣ１，Ｃ２に電荷が蓄積されたと同じ画像信号の電荷がスイッチＳｗａ１，Ｓｗａ２およびスイッチＳｗｂ１，Ｓｗｂ２を介して演算増幅器１２の寄生容量Ｃｉに蓄積されるので、出力端子ＶｏｕｔからはＳ／ＨコンデンサＣ１，Ｃ２に蓄積されていた電荷に応じた信号電圧が補正されて出力される。
【図面の簡単な説明】
【００１５】
【図１】本発明の一実施形態の液晶駆動装置としての信号ドライバ２０の回路図。
【図２】図１に示す信号ドライバ２０の動作を説明するタイミングチャート。
【図３】従来の信号ドライバ１０の回路図。
【図４】図３に示す信号ドライバ１０の動作を説明するタイミングチャート。
【符号の説明】
【００１６】
１１  サンプルホールド回路
１２  演算増幅器
Ｓｗａ１，Ｓｗａ２，Ｓｗｂ１，Ｓｗｂ２，Ｓｗｄ  アナログスイッチ
Ｃ１，Ｃ２  Ｓ／Ｈコンデンサ
【図１】
2005070627.tif 000003
【図２】
2005070627.tif 000004
【図３】
2005070627.tif 000005
【図４】
2005070627.tif 000006